(57)【要約】【課題】剛性の高い媒体を給送する場合でも、ホッパーの傾斜に沿った傾斜姿勢での媒体の支持が可能であり、そのホッパーの傾斜に沿った角度で給送手段に対して媒体を突入させることにより、前記給送手段による精度の高い給送を行うことができる記録装置を提供する。【解決手段】媒体Ｐの一部を傾斜姿勢で支持するとともに、媒体搬送方向上流側を揺動軸５として給送手段７に対して揺動可能に設けられた揺動部材４と、揺動部材４の媒体搬送方向上流側において、媒体を支持する支持部材１０と、を備え、支持部材１０は、揺動部材４の揺動に連動して揺動可能に構成されている、ことを特徴とする記録装置。【選択図】図２
2016030684.tif 000002
【特許請求の範囲】
【請求項１】
媒体の一部を傾斜姿勢で支持するとともに、媒体搬送方向上流側を揺動軸として給送手段に対して揺動可能に設けられた揺動部材と、
前記揺動部材の媒体搬送方向上流側において、前記媒体を支持する支持部材と、を備え、
前記支持部材は、前記揺動部材の揺動に連動して揺動可能に構成されている、
ことを特徴とする、記録装置。
【請求項２】
請求項１に記載の記録装置において、
前記揺動部材の揺動に連動して前記支持部材が揺動する第１のモードと、前記支持部材が揺動しない第２のモードと、を切り替え可能に構成されている、
ことを特徴とする、記録装置。
【請求項３】
請求項２に記載の記録装置において、
前記第１のモードと前記第２のモードを、前記媒体の種類に応じて切り替え可能に構成されている、
ことを特徴とする、記録装置。
【請求項４】
請求項２に記載の記録装置において、
前記第１のモードと前記第２のモードを、前記媒体の剛性に応じて切り替え可能に構成されている、
ことを特徴とする、記録装置。
【請求項５】
請求項２から請求項４のいずれか一項に記載の記録装置において、
前記第１のモードと前記第２のモードの切り替えを制御する制御部を備える、
ことを特徴とする、記録装置。
【請求項６】
請求項１から請求項５のいずれか一項に記載の記録装置において、
前記支持部材は、前記揺動部材に接続されて該揺動部材の揺動に連動する第１の支持部と、前記揺動部材の揺動に連動しない第２の支持部と、を備え、
前記第１の支持部は、前記揺動部材と前記第２の支持部とに接続可能な接続部を備え、
前記接続部は、前記揺動部材に対して接続されるときに前記第２の支持部との接続が解除され、前記第２の支持部に接続されるときに前記揺動部材との接続が解除されるように構成されている、
ことを特徴とする、記録装置。
【請求項７】
請求項１から請求項５のいずれか一項に記載の記録装置において、
前記支持部材は、前記揺動部材に接続されて該揺動部材の揺動に連動する第１の支持部と、前記揺動部材の揺動に連動しない第２の支持部と、を備え、
前記第１の支持部は、少なくとも一部が、前記揺動部材に設けられた収納部に収納可能、且つ、前記収納部から引き出し可能に構成されている、
ことを特徴とする、記録装置。
【請求項８】
請求項１から請求項５のいずれか一項に記載の記録装置において、
前記支持部材は、前記揺動部材に接続されて該揺動部材の揺動に連動する第１の支持部と、前記揺動部材の揺動に連動しない第２の支持部と、を備え、
前記第１の支持部は、前記揺動部材に対して着脱可能に構成されている、
ことを特徴とする、記録装置。
【発明の詳細な説明】
【技術分野】
【０００１】
本発明は、媒体に記録を行う記録装置に関するものである。
【背景技術】
【０００２】
媒体に記録を行うインクジェット式プリンター等の記録装置において、前記媒体としての用紙は、給送ローラー等の給送手段に対して揺動可能に設けられたホッパーの用紙載置面に、複数枚重ねて傾斜姿勢で支持された状態でセットされる。そして、該ホッパーが前記給送ローラー側に揺動してその最上位の用紙を前記給送ローラーに当接させるとともに、該給送ローラーが回転することによって、前記最上位の用紙が一枚ずつ給送されるように構成されている。
【０００３】
また、前記ホッパーが用紙よりも長さ（用紙搬送方向に沿う方向）が短い場合には、該ホッパーの用紙搬送方向上流側にペーパーサポートが取り付けられ、ホッパーとペーパーサポートによって媒体の背面を支持するように構成されている。  
このような記録装置としては、特許文献１に記載の記録装置がある。
【先行技術文献】
【特許文献】
【０００４】
【特許文献１】特開２００２−３７４６０号公報
【０００５】
一方、記録装置において用いられる媒体（用紙）としては、所謂、普通紙と称される比較的剛性の低い紙や、ハガキ（普通紙よりも剛性が高い）がある。  
剛性が低い普通紙を複数枚重ねて載置する際に、ホッパーの斜面が急であると、上位の用紙が自重によって滑降する、いわゆる用紙の雪崩現象を引き起し、用紙が正常に搬送されない問題が生じる場合がある。  
また、剛性が高いハガキを複数枚重ねて載置する際に、ホッパーの斜面が緩やかすぎると、用紙の先端が不揃いの状態になり易く、これによっても用紙が正常に搬送されない場合がある。
【０００６】
このため、特許文献１には、剛性が高いハガキＰＳと剛性が低い普通紙ＰＬの両方を支持するペーパーサポート２ａと、ペーパーサポート２ａの上流側において、普通紙ＰＬの後方側を更に寝かせるような傾斜状態とする湾曲面１５を備えたペーパーサポート２が開示されており、剛性の高いハガキＰＳと剛性の低い普通紙ＰＬの両方を、同一ペーパーサポート（ペーパーサポート２ａとペーパーサポート２）によって適切な状態でホッパー上に堆積させ、正常な給紙を行うことが記載されている。
【発明の概要】
【発明が解決しようとする課題】
【０００７】
ところで、前記ホッパーは、載置される用紙の枚数が多いときには、その用紙を載置する空間を確保するためにホッパーは給紙ローラーから離れており、用紙の枚数が少なくなると前記給送ローラー側に近づくように揺動する。ホッパーが給紙ローラーから離れているときは前記ホッパーの傾斜は急であり（特許文献１、図４）、ホッパーが給紙ローラーに近づくとその傾斜は緩やかになる（特許文献１、図５）。
【０００８】
ここで、前記用紙が剛性の高いハガキである場合に、ホッパーへのハガキの載置枚数が少なくなり、前記ホッパーの傾斜が更に緩やかになると、特許文献１においてペーパーサポート２ａは固定であるため、ホッパー６に載置されたハガキＰＳは、その先端部はホッパー６に支持されるが、前記先端部より後方（ハガキＰＳの中間部）はホッパー６またはペーパーサポート２ａに沿わずにハガキＰＳの後端部がペーパーサポート２に接触する。このため、ハガキＰＳの分離パッド１７への突入角度は、ホッパー６の先端とペーパーサポート２におけるハガキＰＳの接触部を結んだ角度となり、前記突入角度が大きくなる。分離パッド１７への突入角度が大きくなると、用紙不送の虞が増加する。
【０００９】
上記問題点に鑑み、本発明の目的は、剛性の高い媒体を給送する場合でも、ホッパーの傾斜に沿った傾斜姿勢での媒体の支持が可能であり、そのホッパーの傾斜に沿った角度で給送手段に対して媒体を突入させることにより、前記給送手段による精度の高い給送を行うことができる記録装置を提供することにある。
【課題を解決するための手段】
【００１０】
上記課題を解決するため、本発明の第１の態様に係る記録装置は、媒体の一部を傾斜姿勢で支持するとともに、媒体搬送方向上流側を揺動軸として給送手段に対して揺動可能に設けられた揺動部材と、前記揺動部材の媒体搬送方向上流側において、前記媒体を支持する支持部材と、を備え、前記支持部材は、前記揺動部材の揺動に連動して揺動可能に構成されている、ことを特徴とするものである。
【００１１】
本態様によれば、前記支持部材が、前記揺動部材の揺動に連動して揺動可能であるので、例えば、前記揺動部材の傾斜と前記支持部材の傾斜をほぼ同じ角度にすることが可能となる。そして前記媒体は、前記揺動部材と、その搬送方向上流側において前記揺動部材とほぼ同じ角度に傾斜する支持部材と、によって支持されるので、前記媒体を前記揺動部材上において、常に揺動部材の傾斜に沿った傾斜姿勢とすることができる。  
このことによって、給送手段（例えば、給送ローラー等）に対する媒体の突入角度を、前記揺動部材の設計に基づく適切な角度とすることができる。以って、給送手段による媒体の給送を高精度に行うことができる。  
尚、前記「ほぼ同じ角度」とは、前記揺動部材上の媒体が該揺動部材の傾斜に沿う程度に同じであればよく、厳密に同じ角度でなくてもよい。
【００１２】
本発明の第２の態様に係る記録装置は、第１の態様において、前記揺動部材の揺動に連動して前記支持部材が揺動する第１のモードと、前記支持部材が揺動しない第２のモードと、を切り替え可能に構成されている、ことを特徴とするものである。
【００１３】
本態様によれば、前記揺動部材の揺動と前記支持部材の揺動との連動（第１のモード）と、非連動（第２のモード）を選択することができる。
【００１４】
本発明の第３の態様に係る記録装置は、第２の態様において、前記第１のモードと前記第２のモードを、前記媒体の種類に応じて切り替え可能に構成されている、ことを特徴とするものである。
【００１５】
前記揺動部材上の媒体積載枚数が少なくなると、前記揺動部材の給送手段に対する傾斜角度は、前記媒体積載枚数が多いときよりも緩やかになる。このとき、前記支持部材が揺動せずに固定である場合、前記揺動部材と前記支持部材が成す角は、前記揺動部材上の媒体積載枚数が少なくなるほど小さくなる。  
ここで、剛性が低い媒体、例えば普通紙のようにコシが弱い用紙は柔らかいため、前記揺動部材上の媒体積載枚数の減少に伴って、前記揺動部材と前記支持部材とが成す角が小さくなっても、前記揺動部材と前記支持部材のそれぞれの傾斜に沿い易い。
【００１６】
一方、例えばハガキは、剛性が高いため曲がり難い。このため、前記揺動部材上の媒体積載枚数の減少に伴って、前記揺動部材と前記支持部材とが成す角が小さくなった場合には、前記ハガキは前記揺動部材と前記支持部材に沿わず、ハガキの先端側（媒体搬送方向下流側）が前記揺動部材と接触し、ハガキの後端側（同上流側）が前記支持部材と接触した状態で保持され、前記揺動部材の傾斜角度よりも急角度で給送手段に対して突入することとなる。
【００１７】
本態様によれば、媒体の種類が、例えば普通紙のようにコシが弱い媒体であり、前記揺動部材の揺動に連動して前記支持部材が揺動しなくても前記媒体が前記揺動部材の傾斜に沿い、給送ローラーに対する突入角度が前記揺動部材の傾斜に基づく適切な角度になる場合に、支持部材が揺動しない前記第２のモードを選択することにより、前記支持部材の揺動による振動や音の発生の虞を低減または回避することができる。  
また、媒体の種類が、ハガキ等の前記揺動部材の傾斜に沿い難い媒体である場合には、前記揺動部材の揺動に連動して前記支持部材が揺動する第１のモードを選択することにより、第１の態様の作用効果を奏する。
【００１８】
本発明の第４の態様に係る記録装置は、第２の態様において、前記第１のモードと前記第２のモードを、前記媒体の剛性に応じて切り替え可能に構成されている、ことを特徴とするものである。
【００１９】
本態様によれば、剛性が高く、前記揺動部材の傾斜に沿い難い媒体を用いる場合に、第１のモードを選択して前記揺動部材の揺動に連動して前記支持部材が揺する構成とすることができる。  
また、剛性が低く、前記揺動部材の傾斜に沿い易い媒体を用いる場合には、支持部材が揺動しない前記第２のモードを選択することにより、前記支持部材の揺動による振動や音の発生の虞を低減または回避することができる。  
このことによって、剛性が高い媒体を用いる場合に、給送手段に対する媒体の突入角度を、前記揺動部材の設計に基づく適切な角度とすることができるとともに、給送手段による媒体の給送を高精度に行うことができる。
【００２０】
本発明の第５の態様に係る記録装置は、第２の態様から第４の態様のいずれかにおいて、前記第１のモードと前記第２のモードの切り替えを制御する制御部を備える、ことを特徴とするものである。
【００２１】
本態様によれば、前記制御部によって、前記第１のモードと前記第２のモードの切り替えを自動で行うことができる。
【００２２】
本発明の第６の態様に係る記録装置は、第１の態様から第５の態様のいずれかにおいて、前記支持部材は、前記揺動部材に接続されて該揺動部材の揺動に連動する第１の支持部と、前記揺動部材の揺動に連動しない第２の支持部と、を備え、前記第１の支持部は、前記揺動部材と前記第２の支持部とに接続可能な接続部を備え、前記接続部は、前記揺動部材に対して接続されるときに前記第２の支持部との接続が解除され、前記第２の支持部に接続されるときに前記揺動部材との接続が解除されるように構成されている、ことを特徴とするものである。
【００２３】
本態様によれば、前記接続部によって、前記第１の支持部の前記揺動部材への接続と前記第２の支持部への接続とを切り替えることにより、前記揺動部材の揺動に対する第１の支持部の連動と非連動を容易に切り替えることが可能となる。
【００２４】
本発明の第７の態様に係る記録装置は、第１の態様から第５の態様のいずれかにおいて、前記支持部材は、前記揺動部材に接続されて該揺動部材の揺動に連動する第１の支持部と、前記揺動部材の揺動に連動しない第２の支持部と、を備え、前記第１の支持部は、少なくとも一部が、前記揺動部材に設けられた収納部に収納可能、且つ、前記収納部から引き出し可能に構成されている、ことを特徴とするものである。
【００２５】
本態様によれば、前記第１の支持部は、少なくとも一部が前記揺動部材に設けられた収納部に収納可能であるので、第１の支持部を省スペースで設けることができる。また、第１の支持部全体を前記収納部に収納する構成とすれば、その第１の支持部の収納により、前記第１の支持部における前記揺動部材の揺動との連動と非連動を容易に切り替えることが可能となる。
【００２６】
本発明の第８の態様に係る記録装置は、第１の態様から第５の態様のいずれかにおいて、前記支持部材は、前記揺動部材に接続されて該揺動部材の揺動に連動する第１の支持部と、前記揺動部材の揺動に連動しない第２の支持部と、を備え、前記第１の支持部は、前記揺動部材に対して着脱可能に構成されている、ことを特徴とするものである。
【００２７】
本態様によれば、第１の支持部の着脱によって、第１の支持部における前記揺動部材の揺動との連動と非連動を容易に切り替えることが可能となる。
【図面の簡単な説明】
【００２８】
【図１】本発明の一実施例に係るプリンターの媒体搬送経路を示す側断面図。
【図２】ホッパーとペーパーサポートを示す斜視図。
【図３】ホッパーとペーパーサポートが用紙を支持した状態を示す図であり、（Ａ）はハガキを支持した状態を示す図、（Ｂ）はハガキより大きいサイズの普通紙を支持した状態を示す図。
【図４】図２の要部拡大図。
【図５】ペーパーサポートの背面図であり、（Ａ）は第１の支持部と第２の支持部が接続された状態、（Ｂ）は第１の支持部とホッパーが接続された状態を示す図。
【図６】第１の支持部とホッパーの接続部の拡大図。
【図７】第１の支持部と第２の支持部が接続された状態における側断面図であり、（Ａ）はホッパーが給送ローラーから離間した状態、（Ｂ）はホッパーが給送ローラーに近づいた状態を示す図。
【図８】第１の支持部とホッパーが接続された状態における側断面図であり、（Ａ）はホッパーが給送ローラーから離間した状態、（Ｂ）はホッパーが給送ローラーに近づいた状態を示す図。
【図９】他の実施例に係る第１の支持部を備えたペーパーサポートを示す斜視図。
【図１０】図９に示すペーパーサポート構造の側断面図であり、（Ａ）はホッパーが給送ローラーから離間した状態、（Ｂ）はホッパーが給送ローラーに近づいた状態を示す図。
【図１１】（Ａ）は更に他の実施例に係る第１の支持部を備えたペーパーサポートを示す斜視図であり、（Ｂ）は（Ａ）における第１の支持部を示す図。
【図１２】図１１に示すペーパーサポート構造の側断面図であり、（Ａ）はホッパーが給送ローラーから離間した状態、（Ｂ）はホッパーが給送ローラーに近づいた状態を示す図。
【図１３】本発明の一実施例に係るプリンターのブロック図。
【発明を実施するための形態】
【００２９】
以下において、本発明の一実施形態に係る記録装置について、添付図面を参照して説明する。尚、本発明はこれらによって制約されるものではない。
【００３０】
［実施例１］
本実施例の記録装置の一例として、インクジェット式プリンターを例に挙げる。  
図１は、本発明の一実施例に係るプリンターの媒体搬送経路を示す側断面図である。図２は、ホッパーとペーパーサポートを示す斜視図である。図３は、ホッパーとペーパーサポートが用紙を支持した状態を示す図であり、（Ａ）はハガキを支持した状態を示す図、（Ｂ）はハガキより大きいサイズの普通紙を支持した状態を示す図である。図４は、図２の要部拡大図である。図５は、ペーパーサポートの背面図であり、（Ａ）は第１の支持部と第２の支持部が接続された状態、（Ｂ）は第１の支持部とホッパーが接続された状態を示す図である。図６は、第１の支持部とホッパーの接続部の拡大図である。図７は、第１の支持部と第２の支持部が接続された状態における側断面図であり、（Ａ）はホッパーが給送ローラーから離間した状態、（Ｂ）はホッパーが給送ローラーに近づいた状態を示す図である。図８は、第１の支持部とホッパーが接続された状態における側断面図であり、（Ａ）はホッパーが給送ローラーから離間した状態、（Ｂ）はホッパーが給送ローラーに近づいた状態を示す図である。図１３は、本発明の一実施例に係るプリンターのブロック図である。
【００３１】
また、各図において示すＸ−Ｙ−Ｚ座標系はＸ方向が記録ヘッドの走査方向、Ｙ方向が記録装置の奥行き方向である。Ｚ方向は重力方向であり、装置高さ方向を示している。尚、各図において＋Ｙ方向を装置前面側とし、−Ｙ方向側を装置背面側とする。また、＋Ｚ方向を装置上方側とし、−Ｚ方向側を装置下方側とする。
【００３２】
まず、本発明の一実施例に係るインクジェット式プリンター１（以下、プリンター１と称する）の概略について、図１に基づき説明する。尚、図１には記録媒体（以下、用紙Ｐと称する）の搬送経路（破線）が示してある。  
図１に示すプリンター１は、プリンター本体２を備え、プリンター本体２の背面側（−Ｙ方向側）には、複数枚の用紙Ｐをセット可能な用紙セット部３が設けられている。用紙セット部３は揺動部材の一例としてのホッパー４を備え、ホッパー４に用紙Ｐの先端側の一部が傾斜姿勢に支持される。  
また、ホッパー４の用紙搬送方向上流側には、ホッパー４によって支持されていない用紙Ｐの後端側を支持する支持部材としてのペーパーサポート１０を備えている。ペーパーサポート１０については後に詳述する。
【００３３】
尚、プリンター１において、媒体としての用紙Ｐは、図１の＋Ｙ方向へ搬送される構成である。尚、以下において、プリンター１において用紙Ｐが搬送されていく方向を「下流」といい、これと反対の方向を「上流」という場合がある。
【００３４】
ホッパー４は、媒体搬送方向上流側においてＸ軸方向に延びる揺動軸５（図２を参照）を軸として、用紙Ｐの載置面６が給送手段としての給送ローラー７に対して進退するように揺動可能に設けられているとともに、図示しない付勢手段によって給送ローラー７側に付勢されている。ホッパー４に複数枚セットされた用紙Ｐは、最上位の用紙Ｐが給送ローラー７と接し、給送ローラー７の回転により１枚ずつピックアップされて搬送方向下流に向けて送られる。
【００３５】
搬送方向上流側から送られる用紙Ｐは、搬送駆動ローラー８と搬送従動ローラー９とを備えた用紙搬送手段によって、インクジェット記録ヘッド１１（以下、記録ヘッド１１）の下方の記録位置に搬送される。
【００３６】
記録ヘッド１１はキャリッジ１２に設けられている。キャリッジ１２は、インクを記録ヘッド１１に供給するためのインクカートリッジ１３を搭載するとともに、不図示のモーターからの動力を受け、用紙Ｐの搬送方向（＋Ｙ方向）と交差する方向、すなわち、用紙幅方向（Ｘ軸方向）に往復動する。
【００３７】
記録ヘッド１１の下方には、記録ヘッド１１と対向して記録ヘッド１１のインク吐出面と用紙Ｐとの間のギャップを規定するプラテン１４が設けられている。記録ヘッド１１とプラテン１４との間において、用紙Ｐ等の媒体に記録ヘッド１１からインクを吐出することによって記録が実行される。
【００３８】
記録ヘッド１１の搬送方向下流側には、排出駆動ローラー１５と排出従動ローラー１６とを備える用紙排出手段が設けられている。記録後の用紙Ｐは，用紙排出手段によって装置前面に形成された用紙排出口（図示せず）から装置前方に向けて排出される。
【００３９】
次に、前述したペーパーサポート１０について図２〜図８を用いて説明する。本実施例に係るペーパーサポート１０は、図２に示すように、第１の支持部２０と第２の支持部２１とを備えている。第１の支持部２０はハガキＰ１に対応する大きさであり［図３（Ａ）を参照］、第２の支持部２１は、記録装置１において記録可能な最大サイズの用紙Ｐ２に対応する大きさに形成されている［図３（Ｂ）を参照］。
【００４０】
第２の支持部２１は所定の角度に固定されており、ホッパー４の揺動に連動しない。本実施例においては、ホッパー４が給紙ローラー７から離れた位置まで揺動したときの傾斜角度とほぼ同じ角度に固定されている［図７（Ａ）を参照］。
【００４１】
第１の支持部２０は、ホッパー４に接続されてホッパー４の揺動に連動して揺動可能に構成されている。具体的には、第１の支持部２０はその背面側（−Ｙ方向側）に接続部２２が設けられており、接続部２２は、ホッパー４側に設けられる被接続部２４と第２の支持部２１側に設けられる被接続部２３との間でスライド可能であるとともに、ホッパー４側の被接続部２４に対して接続されるときに第２の支持部２１側の被接続部２３との接続が解除され［図５（Ｂ）および図６］、第２の支持部２１側の被接続部２３に接続されるときにホッパー４側の被接続部２４との接続が解除される［図５（Ａ）］ように構成されている。  
接続部２２による接続は、第１の支持部２０とホッパー４、または第１の支持部２０と第２の支持部２１が、それぞれ同じ傾斜になるように成されている。
【００４２】
第１の支持部２０は、ホッパー４の揺動軸５に対して係合する係合部２５を備え（図２、図４を参照）、接続部２２が第２の支持部２１側の被接続部２３に接続されて、ホッパー４側の被接続部２４との接続が解除されている場合には、第２の支持部２１と同じ傾斜角度に固定されるとともに、ホッパー４は第１の支持部２０に対して揺動する。  
一方、接続部２２がホッパー４側の被接続部２４に接続されて、第２の支持部２１側の被接続部２３との接続が解除されている場合には、第１の支持部２０はホッパー４と同じ傾斜を保持したまま、ホッパー４の揺動に連動して揺動する。
【００４３】
接続部２２によって、第１の支持部２０のホッパー４への接続と第２の支持部２１への接続とを切り替えることにより、ホッパー４の揺動に連動してペーパーサポート１０（第１の支持部２０）が揺動する第１のモードと、ペーパーサポート１０が揺動しない第２のモードとを切り替えることができる。
【００４４】
次に、ホッパー４とペーパーサポート１０の動作について更に説明する。  
まず、図７（Ａ）、図７（Ｂ）は、第１の支持部２０と第２の支持部２１が接続部２２によって接続された状態であり、すなわち、ペーパーサポート１０の第１の支持部２０が揺動しない第２のモードに設定されている。前述のように、第２の支持部２１はホッパー４が給紙ローラー７から離れた位置、すなわち、最大枚数の用紙Ｐを積載可能な位置まで揺動したときの傾斜とほぼ同じ傾斜姿勢をとっており、第１の支持部２０も第２の支持部２１と同じ傾斜姿勢となっている［図７（Ａ）］。  
このとき、用紙Ｐ［図７（Ａ）においてはハガキＰ１］を用紙セット部３にセットすると、用紙の種類に関わらず用紙Ｐはホッパー４とペーパーサポート１０の傾斜に沿った状態で支持される。
【００４５】
しかし、ホッパー４上の用紙Ｐの積載枚数が少なくなると、図７（Ｂ）に示すようにホッパー４が給送ローラー７に近づく方向に揺動するので、ホッパー４の給送ローラー７に対する傾斜角度は図７（Ａ）の場合よりも緩やかになる。一方、ペーパーサポート１０（第１の支持部２０と第２の支持部２１）はその角度が固定されているので、ホッパー４とペーパーサポート１０が成す角は、ホッパー４上の用紙Ｐの積載枚数が少なくなるほど小さくなる。
【００４６】
ここで、剛性が低い用紙、例えば普通紙のようにコシが弱い用紙Ｐ２は、ホッパー４上の用紙Ｐの積載枚数の減少に伴って、ホッパー４とペーパーサポート１０とが成す角が小さくなっても、図７（Ｂ）において点線（符号Ｐ２）で示すようにホッパー４とペーパーサポート１０のそれぞれの傾斜に沿い易い。
【００４７】
一方、例えばハガキＰ１は、剛性が高いため曲がり難い。このため、ホッパー４とペーパーサポート１０とが成す角が小さくなったときに、ハガキＰ１は、図７（Ｂ）に示すようにホッパー４とペーパーサポート１０に沿わず、ハガキＰ１の先端側Ｈがホッパー４と接触し、ハガキＰ１の後端側Ｔがペーパーサポート１０（第１の支持部２０）と接触した状態で保持され、ホッパー４の傾斜角度よりも急角度で給送ローラー７に対して突入することとなる。
【００４８】
このように剛性が高いハガキＰ１を給送する場合に、図８（Ａ）および図８（Ｂ）に示すように、第１の支持部２０とホッパー４を接続部２２によって接続して、第１の支持部２０がホッパー４の揺動に連動して揺動する第１のモードにする。  
第１のモードでは、第１の支持部２０をホッパー４の揺動に連動して揺動するので、ホッパー４上のハガキＰ１の積載枚数が少なくなってホッパー４が揺動し、その傾斜が緩やかになっても、ホッパー４の傾斜と第１の支持部２０の傾斜をほぼ同じ角度にすることができる［図８（Ｂ）］。
【００４９】
このことにより、剛性が高くホッパー４の傾斜に沿い難いハガキＰ１を、常にホッパー４の傾斜に沿った傾斜姿勢とすることができる。以って、給送ローラー７に対するハガキＰ１の突入角度を、ホッパー４の設計に基づく適切な角度とすることができるとともに、剛性の高いハガキＰ１の給送を高精度に行うことができる。
【００５０】
本実施例において、第１の支持部２０がホッパー４の揺動に連動する第１のモードと、連動しない第２のモードの切り替えは、ユーザーの操作によって接続部２２による接続を切り替えて行うことができる他、第１のモードと第２のモードの切り替えを自動で行うこともできる。
【００５１】
例えば、図１３に示すように、プリンター１が制御部５０を備え、ドライバー５１を介してユーザーが設定する情報を把握するとともに、制御部５０がその情報に基づいて第１のモードと第２のモードのいずれを実行するかを決定し、モーターやソレノイド等の駆動源５４によって接続部２２による接続を自動で切り替えるように構成することができる。ユーザーが設定する情報の一例としては、媒体についての設定（種類、剛性等）や、ユーザーによって第１のモードと第２のモードのいずれを行うかを選択する設定等が挙げられる。尚、符号５２はユーザーが各種設定を入力する入力部であり、符号５３は設定メニュー等の各種情報を表示する表示部である。  
また、プリンター１に接続されたコンピューター５５側のドライバー５６において、第１のモードと第２のモードの切り替えを判断するように構成することも可能である。
【００５２】
尚、ペーパーサポート１０の第１の支持部２０は、用紙Ｐの種類に応じて揺動させるとよい。例えば前述したように、ハガキＰ１や、ハガキサイズのカード等の剛性が高い用紙Ｐに対して記録を行う場合に、第１のモードを実行し、第１の支持部２０をホッパー４と連動して揺動させることができる。
【００５３】
また本実施例では、接続部２２によって第１の支持部２０のホッパー４への接続と、第１の支持部２０の第２の支持部２１への接続とを切り替えて、構成簡単にして、ホッパー４の揺動と第１の支持部２０の揺動との連動（第１のモード）と、非連動（第２のモード）を選択することができる。  
剛性が低くコシの弱い普通紙Ｐ２のように、用紙Ｐの種類によっては、ホッパー４の揺動に連動して第１の支持部２０が揺動しなくてもホッパー４の傾斜に沿い易く、給送ローラー７対する突入角度がホッパー４の傾斜に基づく適切な角度になる場合がある。その場合には、第１の支持部２０が揺動しない第２のモードを選択することにより、第１の支持部２０の揺動による振動や音の発生の虞を低減または回避することができる。
【００５４】
また本実施例では、ペーパーサポート１０が、ホッパー４の揺動に連動する第１の支持部２０と、ホッパー４の揺動に連動しない第２の支持部２１とを備える場合について説明したが、例えば、記録装置１において記録可能な最大の用紙サイズに対応する一つのペーパーサポートによって、前記最大の用紙より小さいサイズの用紙を支持する場合に、その一つのペーパーサポートをホッパー４の揺動に連動して揺動可能に構成することができる。
【００５５】
［実施例２］
実施例２では、図９、図１０（Ａ）、図１０（Ｂ）に基づき、ペーパーサポートの他の実施例について説明する。図９は、他の実施例に係る第１の支持部を備えたペーパーサポートを示す斜視図である。図１０は、図９に示すペーパーサポート構造の側断面図であり、（Ａ）はホッパーが給送ローラーから離間した状態、（Ｂ）はホッパーが給送ローラーに近づいた状態を示す図である。  
本実施例において実施例１と同一の構成については同一の符号を付し、その構成の説明は省略する。
【００５６】
実施例２に係るペーパーサポート３０は、実施例１と同様に、ホッパー４に接続されてホッパー４の揺動に連動する第１の支持部３２と、ホッパー４の揺動に連動しない第２の支持部３１と、を備えている。第２の支持部３１は、実施例１の第２の支持部２１と同様の構成である。
【００５７】
本実施例に係る第１の支持部３２は、図９に示すように、スライド板３２ａ、スライド板３２ｂ、およびスライド板３２ｃによって構成されており、スライド板３２ａの一部がホッパー４に設けられた収納部３３ａ［図１０（Ａ）、図１０（Ｂ）を参照］に収納可能、且つ、収納部３３ａから引き出し可能に設けられている。  
また、スライド板３２ｂはその一部がスライド板３２ａに設けられる収納部３３ｂに、スライド板３２ｃはその一部がスライド板３２ｂに設けられる収納部３３ｃに、それぞれ収納且つ引き出し可能に設けられている。
【００５８】
本実施例においても、第１の支持部３２がホッパー４の揺動に連動して揺動するので、ハガキＰ１を常にホッパー４の傾斜に沿った傾斜姿勢とすることができる。以って、給送ローラー７に対するハガキＰ１の突入角度を、ホッパー４の設計に基づく適切な角度とすることができるとともに、図１０（Ｂ）のように剛性の高いハガキＰ１のホッパー４への積載枚数が少なくなった場合でも、給送ローラー７による給送を高精度に行うことができる。
【００５９】
加えて、第１の支持部３２は、少なくとも一部がホッパー４に設けられた収納部３３ａに収納可能であるので、第１の支持部３２を省スペースで設けることができる。  
また、第１の支持部３２全体を収納部３３ａに収納する構成とすれば、第１の支持部３２の収納により、第１の支持部３２におけるホッパー４の揺動との連動と非連動を容易に切り替えることが可能となる。
【００６０】
［実施例３］
実施例３では、図１１（Ａ）、図１１（Ｂ）、図１２（Ａ）、図１２（Ｂ）に基づき、ペーパーサポートの更に他の実施例について説明する。図１１（Ａ）は更に他の実施例に係る第１の支持部を備えたペーパーサポートを示す斜視図であり、図１１（Ｂ）は（Ａ）における第１の支持部を示す図である。図１２は、図１１に示すペーパーサポート構造の側断面図であり、（Ａ）はホッパーが給送ローラーから離間した状態、（Ｂ）はホッパーが給送ローラーに近づいた状態を示す図である。
【００６１】
実施例３に係るペーパーサポート４０は、実施例１と同様に、ホッパー４に接続されてホッパー４の揺動に連動する第１の支持部４２と、ホッパー４の揺動に連動しない第２の支持部４１と、を備えている。第２の支持部４１は、実施例１の第２の支持部２１と同様の構成である。  
本実施例に係る第１の支持部４２は図１１（Ｂ）に示すようにホッパー４への取付部４３を備え、ホッパー４に対して着脱可能に構成されている。第１の支持部４２は、図１２（Ａ）に示すようにホッパー４の背面側に取付部４３を取り付けて接続されることにより、ホッパー４の揺動に連動し、ホッパー４の傾斜角度に沿った傾斜姿勢をとる［図１２（Ｂ）を参照］。
【００６２】
本実施例においても、実施例１、実施例２と同様に、第１の支持部４２がホッパー４の揺動に連動して揺動することにより、ハガキＰ１を常にホッパー４の傾斜に沿った傾斜姿勢とし、給送ローラー７に対するハガキＰ１の突入角度を、ホッパー４の設計に基づく適切な角度とすることができる。したがって、図１２（Ｂ）のように剛性の高いハガキＰ１のホッパー４への積載枚数が少なくなり、ホッパー４の傾斜が緩やかになった場合でも、給送ローラー７による給送を高精度に行うことができる。
【００６３】
また、本実施例では、剛性の高い用紙として、ハガキを例として説明したが、３Ｄ印刷用用紙なども剛性の高い用紙として含まれる。
【００６４】
本発明は上記実施例に限定されることなく、特許請求の範囲に記載した発明の範囲内で種々の変形が可能であり、それらも本発明の範囲内に含まれるものであることは言うまでもない。
【符号の説明】
【００６５】
１  プリンター、２  プリンター本体、３  用紙セット部、
４  ホッパー（揺動部材）、５  揺動軸、６  載置面、  
７  給送ローラー（給送手段）、８  搬送駆動ローラー、９  搬送従動ローラー、
１０  ペーパーサポート（支持部材）、１１  記録ヘッド、
１２  キャリッジ、１３  インクカートリッジ、１４  プラテン、
１５  排出駆動ローラー、１６  排出従動ローラー、
２０  第１の支持部、２１  第２の支持部、２２  接続部、
２３  被接続部、２４  被接続部、２５  係合部、
３０  ペーパーサポート（支持部材）、３１  第２の支持部、３２  第１の支持部、
３２ａ、３２ｂ、３３ｃ  スライド板、３３ａ、３３ｂ、３３ｃ  収納部、
４０  ペーパーサポート（支持部材）、４１  第２の支持部、
４２  第１の支持部、４３  取付部、
５０  制御部、５１  ドライバー、５２  入力部、５３  表示部、
５４  駆動源、５５  コンピューター、５６  ドライバー、
Ｐ  用紙、Ｐ１  ハガキ、Ｐ２  普通紙
【図１】
2016030684.tif 000003
【図２】
2016030684.tif 000004
【図３】
2016030684.tif 000005
【図４】
2016030684.tif 000006
【図５】
2016030684.tif 000007
【図６】
2016030684.tif 000008
【図７】
2016030684.tif 000009
【図８】
2016030684.tif 000010
【図９】
2016030684.tif 000011
【図１０】
2016030684.tif 000012
【図１１】
2016030684.tif 000013
【図１２】
2016030684.tif 000014
【図１３】
2016030684.tif 000015